(57)【要約】【課題】バスや列車等の車両の客室の窓部を利用して乗客に魅力的な映像コンテンツを提供する。【解決手段】車両の客室に面する窓部に設けられる透過型ディスプレイ１０Ａと、透過型ディスプレイ１０Ａの車外側に重ねて設けられる光シャッター１０Ｂと、透過型ディスプレイ１０Ａに映像コンテンツを出力するとともに、透過型ディスプレイ１０Ａの映像コンテンツが車外側から見えないように光シャッター１０Ｂを作動させる制御装置１１とを有する映像出力装置１であり、車両の客室に面する全ての窓部に設けられる透過型ディスプレイ１０Ａに映像コンテンツを出力することで、客室内の乗客をこの映像コンテンツにより取り囲み、バーチャルリアリティ（仮想現実）体験をさせる。このとき、透過型ディスプレイ１０Ａの車外側に重ねて設けられる光シャッター１０Ｂを作動させることで、車外側からは透過型ディスプレイ１０Ａの映像コンテンツが見えないようになる。【選択図】図１
2018127192.tif 000002
【特許請求の範囲】
【請求項１】
車両の客室に面する窓部に設けられる透過型ディスプレイと、
前記透過型ディスプレイの車外側に重ねて設けられる光シャッターと、
前記透過型ディスプレイに映像コンテンツを出力するとともに、前記透過型ディスプレイの映像コンテンツが車外側から見えないように前記光シャッターを作動させる制御装置と
を有する映像出力装置。
【請求項２】
さらに、前記車両の現在の位置を測定する測位装置を有し、
前記制御装置は、前記測位装置により測定した位置に基づいて関連する映像コンテンツを前記透過型ディスプレイに出力するものである
請求項１記載の映像出力装置。
【請求項３】
請求項１または２に記載の映像出力装置を備えた車両。
【請求項４】
車両の客室に面する窓部に設けられる透過型ディスプレイに映像コンテンツを出力するとともに、前記透過型ディスプレイの映像コンテンツが車外側から見えないように前記透過型ディスプレイの車外側に重ねて設けられる光シャッターを作動させることを特徴とする映像出力方法。
【発明の詳細な説明】
【技術分野】
【０００１】
本発明は、映像を出力する映像出力装置およびこれを備えた車両、並びに映像出力方法に関する。
【背景技術】
【０００２】
一般に観光バスでは、出発地から目的地まで観光名所を回りながら移動するが、観光名所と観光名所との間は単なる移動区間であり、窓から見える景観が代わり映えせずに楽しめない場面がある。また、例えば特許文献１に記載のように、バス車両等の天井に開閉可能に設けられたテレビモニタを用いて種々の案内や説明を行うことも行われているが、単にテレビモニタにビデオ等を放映しているだけであり、家庭内で視聴する場合と何ら代わり映えしない。
【先行技術文献】
【特許文献】
【０００３】
【特許文献１】特開２０１５−１３４５７３号公報
【発明の概要】
【発明が解決しようとする課題】
【０００４】
そこで、本発明においては、バスや列車等の車両の客室の窓部を利用して乗客に魅力的な映像コンテンツを提供することが可能な映像出力装置およびこれを用いた車両、並びに映像出力方法を提供することを目的とする。
【課題を解決するための手段】
【０００５】
本発明の映像出力装置は、車両の客室に面する窓部に設けられる透過型ディスプレイと、透過型ディスプレイの車外側に重ねて設けられる光シャッターと、透過型ディスプレイに映像コンテンツを出力するとともに、透過型ディスプレイの映像コンテンツが車外側から見えないように光シャッターを作動させる制御装置とを有するものである。
【０００６】
本発明の映像出力装置を備えた車両によれば、車両の客室に面する全ての窓部に設けられる透過型ディスプレイに映像コンテンツを出力することで、客室内の乗客をこの映像コンテンツにより取り囲み、バーチャルリアリティ（仮想現実）（以下「ＶＲ」と称す。）体験をさせることが可能となる。このとき、透過型ディスプレイの車外側に重ねて設けられる光シャッターを作動させることで、車外側からは透過型ディスプレイの映像コンテンツが見えないようになる。また、透過型ディスプレイに映像コンテンツを出力せずに、透過型ディスプレイを透過して窓部から景観を楽しませることも可能である。
【０００７】
本発明の映像出力装置は、さらに、車両の現在の位置を測定する測位装置を有し、制御装置は、測位装置により測定した位置に基づいて関連する映像コンテンツを透過型ディスプレイに出力するものであることが望ましい。これにより、乗客に対して、車両の現在の位置に応じた観光案内などの映像コンテンツを提供することが可能となる。
【発明の効果】
【０００８】
（１）車両の客室に面する窓部に設けられる透過型ディスプレイに映像コンテンツを出力とともに、透過型ディスプレイの映像コンテンツが車外側から見えないように透過型ディスプレイの車外側に重ねて設けられる光シャッターを作動させる構成により、車両が風景を楽しむ場所を走行する場合には、透過型ディスプレイに映像コンテンツを出力せずに、透過型ディスプレイを透過して窓部から景観を楽しませることが可能となるとともに、景観が代わり映えしない場合や観光案内等が必要な場合には、透過型ディスプレイに映像コンテンツを出力することで、客室内の乗客を映像コンテンツにより取り囲み、魅力的なバーチャルリアリティ（仮想現実）体験をさせることが可能となる。このとき、透過型ディスプレイの車外側に重ねて設けられる光シャッターを作動させることで、車外側からは透過型ディスプレイの映像コンテンツが見えないようになり、この車両の周囲の他の車両等の交通を妨げることがない。
【０００９】
（２）さらに、車両の現在の位置を測定する測位装置を有し、制御装置は、測位装置により測定した位置に基づいて関連する映像コンテンツを透過型ディスプレイに出力する構成により、乗客に対して、車両の現在の位置に応じた観光案内などの映像コンテンツを提供することが可能となる。
【図面の簡単な説明】
【００１０】
【図１】本発明の実施の形態における映像出力装置の構成を示すブロック図である。
【図２】図１の映像出力装置を備えた観光バスの車内の平面図である。
【発明を実施するための形態】
【００１１】
図１は本発明の実施の形態における映像出力装置の構成を示すブロック図、図２は図１の映像出力装置を備えた車両としての観光バスの車内の平面図である。
【００１２】
図１に示すように、本発明の実施の形態における映像出力装置１は、図２に示す観光バス２の客室２０に面する窓部に設けられる透過型ディスプレイ１０Ａと、透過型ディスプレイ１０Ａの車外側に重ねて設けられる光シャッター１０Ｂと、透過型ディスプレイ１０Ａに映像コンテンツを出力するとともに、透過型ディスプレイ１０Ａの映像コンテンツが車外側から見えないように光シャッター１０Ｂを作動させる制御装置１１と、観光バス２の現在の位置を測定する測位装置としてのＧＰＳ（グローバル・ポジショニング・システム（全地球測位システム））１２とを有する。
【００１３】
透過型ディスプレイ１０Ａは、その表示部を透過して裏側を見ることができるディスプレイである。透過型ディスプレイ１０Ａは、観光バス２の客室２０に面する全ての窓部（図２において二点鎖線Ａで囲った部位の窓部）に設けられている。制御装置１１から映像コンテンツの信号が入力されない間は、この透過型ディスプレイ１０Ａを透過して観光バス２の客室２０の窓部から外の景色を見ることが可能となっている。そして、制御装置１１から映像コンテンツの信号が入力されると、透過型ディスプレイ１０Ａに映像コンテンツが表示される。
【００１４】
光シャッター１０Ｂは、透過型ディスプレイ１０Ａの車外側に重ねて設けられる。光シャッター１０Ｂは、通常状態では光を透過するが、作動時には光の透過率が変化して光を透過しないようになるものである。光シャッター１０Ｂは、瞬間調光ガラス、液晶シャッターや透過型ディスプレイなどにより構成される。
【００１５】
なお、透過型ディスプレイ１０Ａおよび光シャッター１０Ｂは観光バス２の客室２０に面する全ての窓部の窓ガラスに換えて設置するが、窓ガラスの内側または外側に重ねて設置しても良い。また、透過型ディスプレイ１０Ａおよび光シャッター１０Ｂは運転室２１を除く客室２０に面する全ての窓部に設けられるが、客室２０と運転室２１との境界部分にも設けて、透過型ディスプレイ１０Ａおよび光シャッター１０Ｂにより客室２０内の乗客を３６０°取り囲む構成とすることも可能である。
【００１６】
制御装置１１は、観光バス２の客室２０に面する全ての窓部に設けられた透過型ディスプレイ１０Ａに客室２０内の乗客を中心としたＶＲ技術を用いた映像コンテンツを出力することにより、客室２０内の乗客をこの映像コンテンツにより取り囲み、ＶＲ体験をさせるものである。また、本実施形態においては、制御装置１１はＧＰＳ１２により測定した位置に基づいて関連する映像コンテンツを出力することが可能となっている。映像コンテンツとしては、例えば、ＶＲ技術を用いてその位置（地域）の歴史を再現する映像や、ＶＲ技術を用いた観光案内の映像等とすることができる。
【００１７】
また、制御装置１１は、透過型ディスプレイ１０Ａに映像コンテンツを出力する際には、光シャッター１０Ｂを作動させて、光シャッター１０Ｂが光を透過しないようにし、透過型ディスプレイ１０Ａの映像コンテンツが車外側から見えないようにする。
【００１８】
上記構成の映像出力装置１を備えた観光バス２によれば、観光バス２が風景を楽しむ場所を走行する場合には、透過型ディスプレイ１０Ａに映像コンテンツを出力せず、また光シャッター１０Ｂを作動させずに、透過型ディスプレイ１０Ａおよび光シャッター１０Ｂを透過して窓部から景観を楽しませることが可能となる。そして、景観が代わり映えしない場合や観光案内等が必要な場合には、透過型ディスプレイ１０Ａに映像コンテンツを出力することで、客室２０内の乗客を映像コンテンツにより取り囲み、魅力的なＶＲ体験をさせることが可能である。
【００１９】
このとき、透過型ディスプレイ１０Ａに表示されている映像コンテンツは、透過型ディスプレイ１０Ａの特性上、観光バス２の車外側からも見えてしまうことになるが、制御装置１１は、透過型ディスプレイ１０Ａに映像コンテンツを出力する際には、透過型ディスプレイ１０Ａの車外側に重ねて設けられた光シャッター１０Ｂを作動させて、光シャッター１０Ｂが光を透過しないようにするため、透過型ディスプレイ１０Ａの映像コンテンツが観光バス２の車外側から見えなくなる。そのため、透過型ディスプレイ１０Ａに表示されている映像コンテンツによって、観光バス２の周囲の他の車両等の交通を妨げることがない。
【００２０】
なお、光シャッター１０Ｂは、透過型ディスプレイ１０Ａに出力している映像コンテンツが車外側から見えないようになればよい。例えば、光シャッター１０Ｂが瞬間調光ガラスや液晶シャッターの場合には、光を完全に遮断する他、透過型ディスプレイ１０Ａに出力している映像コンテンツが車外側から確認できない程度に不透明にすればよい。また、光シャッター１０Ｂが透過型ディスプレイの場合には、透過型ディスプレイ１０Ａに出力している映像コンテンツが車外側から確認できない程度に全面黒表示や全面白表示等を行えばよい。
【００２１】
また、本実施形態における映像出力装置１は、さらに観光バス２の現在の位置を測定するＧＰＳ１２を有し、制御装置１１が、このＧＰＳ１２により測定した位置に基づいて関連する映像コンテンツを出力することが可能であるため、客室２０内の乗客に対して観光バス２の現在の位置に応じた観光案内などの映像コンテンツを提供することが可能である。
【００２２】
なお、本実施形態においては映像出力装置１を観光バス２に備えた例について説明したが、路線バスやマイクロバス等のその他のバスや、列車等の車両に備えた構成とすることも可能である。
【産業上の利用可能性】
【００２３】
本発明は、バスや列車等の車両の客室の窓部を利用して乗客に魅力的な映像コンテンツを提供する映像出力装置およびこれを用いた車両、並びに映像出力方法として有用である。
【符号の説明】
【００２４】
１  映像出力装置
１０Ａ  透過型ディスプレイ
１０Ｂ  光シャッター
１１  制御装置
１２  ＧＰＳ
２  観光バス
２０  客室
２１  運転室
【図１】
2018127192.tif 000003
【図２】
2018127192.tif 000004
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
車両の客室内の乗客を３６０°取り囲むように前記客室に面する全ての窓部および前記客室と前記車両の運転室との境界部分に設けられる透過型ディスプレイと、
前記透過型ディスプレイの全ての車外側に重ねて設けられる光シャッターと、
前記透過型ディスプレイに映像コンテンツを出力するとともに、前記透過型ディスプレイの映像コンテンツが車外側から見えないように前記光シャッターを作動させる制御装置と
を有する映像出力装置。
【請求項２】
さらに、前記車両の現在の位置を測定する測位装置を有し、
前記制御装置は、前記測位装置により測定した位置に基づいて関連する映像コンテンツを前記透過型ディスプレイに出力するものである
請求項１記載の映像出力装置。
【請求項３】
請求項１または２に記載の映像出力装置を備えた車両。
【請求項４】
車両の客室内の乗客を３６０°取り囲むように前記客室に面する全ての窓部および前記客室と前記車両の運転室との境界部分に設けられる透過型ディスプレイに映像コンテンツを出力するとともに、前記透過型ディスプレイの映像コンテンツが車外側から見えないように前記透過型ディスプレイの全ての車外側に重ねて設けられる光シャッターを作動させることを特徴とする映像出力方法。